(57)【要約】【課題】コネクタの嵌合作業の作業効率を向上させるとともに、コネクタの半嵌合による導通不良の発生を抑制することができるコネクタを提供する。【解決手段】コネクタ１は一対のコネクタ２、３と一方のコネクタ２に回転可能に取り付けられたレバー４を備えている。レバー４は一方のコネクタ２に近づくように回転することで一対のコネクタ２、３を互いに接離させる。一対のコネクタ２、３にはそれぞれ該一対のコネクタ２、３同士を係止する係止部１６ａ，２４が設けられている。レバー４は当該レバー４を一方のコネクタ２に回転しないように保持するロック部３６を備えている。他方のコネクタ３にはレバーロック解除部２６が設けられている。そして、係止部同士１６ａ，２４が係止した際に、他方のコネクタ３のレバーロック解除部２６がロック部３６のロックを解除して、レバー４が一方のコネクタ２に対して回転可能となり且つ該一方のコネクタ２側に傾く。【選択図】図７
2008262718.tif 000002
【特許請求の範囲】
【請求項１】
互いに嵌合可能な一対のコネクタと、一方のコネクタに回転可能に取り付けられ且つ回転動作により前記一対のコネクタ同士を接離させるとともに当該一方のコネクタと係合して前記一対のコネクタ同士の嵌合を保持するレバーと、前記レバーに設けられ且つ当該レバーを前記一方のコネクタに回転しないように保持するロック部と、を備え、
前記一対のコネクタが、当該一対のコネクタそれぞれに設けられた係止部同士が係止することにより互いに係止するコネクタにおいて、
前記係止部同士が係止した際に、前記ロック部のロックを解除するとともに、前記レバーを前記一方のコネクタ側に傾かせるレバーロック解除部が、前記他方のコネクタに設けられていることを特徴とするコネクタ。
【請求項２】
前記ロック部は、前記レバーに弾性変形可能に形成された一対の可撓アームと、該一対の可撓アームの互いに相対する面にそれぞれ突設された一対のロック突起とを有しており、
前記レバーロック解除部は、前記他方のコネクタから突出するように一対設けられているとともに、前記係止部同士が係止する際に、当該一対のレバーロック解除部が、それぞれ、前記一対のロック突起が互いに離れるように該一対のロック突起それぞれを押圧する位置に設けられていることを特徴とする請求項１記載のコネクタ。
【発明の詳細な説明】
【技術分野】
【０００１】
本発明は、互いに嵌合する一対のコネクタと、これら一対のコネクタのうち一方に回動可能に設けられたレバーとを備えたコネクタに関する。
【背景技術】
【０００２】
従来から、コネクタの嵌合を簡単に行うため、様々なレバー式コネクタが用いられている(例えば、特許文献１参照)。
【０００３】
特許文献１に開示されたレバー式コネクタは、他方のコネクタとしての相手コネクタと嵌合する。一方のコネクタとしてのレバー式コネクタは、ハウジングと、このハウジングに回転可能に取り付けられたレバーとを備えている。
【０００４】
ハウジングは、複数の端子金具を収容する。レバーは、一対のアーム部と、該一対のアーム部を連結する基部とを備えて、略コ字状に形成されており、ハウジングに始点位置と終点位置との間を回転可能に取り付けられている。このレバーには、相手コネクタのガイドボスが係合するガイド溝が設けられている。
【０００５】
そして、前述したレバー式コネクタは、相手コネクタのガイドボスをレバーのガイド溝に係合して、レバーを回転することでハウジングと相手コネクタとを接離させて、これらのハウジングと相手コネクタとを嵌合させたり分離させたりする。
【特許文献１】特開平９−１６７６５７号公報
【発明の開示】
【発明が解決しようとする課題】
【０００６】
しかしながら、前述した従来のレバー式コネクタは、レバーの回転動作により相手コネクタと嵌合するため、レバーの始点位置から終点位置へ回転する距離が長いと、作業者がレバーを回転操作する操作量が多くなる。このため、作業者がレバーを正しい嵌合状態まで回転させずに、コネクタ同士が半嵌合の状態で作業を終わらせてしまうことがあり、半嵌合により導通不良が発生する虞があった。
【０００７】
したがって、本発明の目的は、コネクタの嵌合作業の作業効率を向上させるとともに、コネクタの半嵌合による導通不良の発生を抑制することができるコネクタを提供する。
【課題を解決するための手段】
【０００８】
前記課題を解決し目的を達成するために、請求項１に記載された発明は、互いに嵌合可能な一対のコネクタと、一方のコネクタに回転可能に取り付けられ且つ回転動作により前記一対のコネクタ同士を接離させるとともに当該一方のコネクタと係合して前記一対のコネクタ同士の嵌合を保持するレバーと、前記レバーに設けられ且つ当該レバーを前記一方のコネクタに回転しないように保持するロック部と、を備え、前記一対のコネクタが、当該一対のコネクタそれぞれに設けられた係止部同士が係止することにより互いに係止するコネクタにおいて、前記係止部同士が係止した際に、前記ロック部のロックを解除するとともに、前記レバーを前記一方のコネクタ側に傾かせるレバーロック解除部が、前記他方のコネクタに設けられていることを特徴とするコネクタである。
【０００９】
請求項２に記載された発明は、請求項１に記載の発明において、前記ロック部は、前記レバーに弾性変形可能に形成された一対の可撓アームと、該一対の可撓アームの互いに相対する面にそれぞれ突設された一対のロック突起とを有しており、前記レバーロック解除部は、前記他方のコネクタから突出するように一対設けられているとともに、前記係止部同士が係止する際に、当該一対のレバーロック解除部が、それぞれ、前記一対のロック突起が互いに離れるように該一対のロック突起それぞれを押圧する位置に設けられていることを特徴とするものである。
【００１０】
請求項１に記載された発明によれば、レバーの回転動作により接離され且つ互いに嵌合するとともに、係止部同士が係止することにより互いに係止する一対のコネクタが、該係止部同士が係止した際に、レバーに設けられ且つ当該レバーを一方のコネクタに回転しないように保持するロック部のロックを解除するとともに、レバーを一方のコネクタ側に傾かせるレバーロック解除部が、他方のコネクタに設けられている。このため、一対のコネクタ同士を接離させるレバーが、該一対のコネクタを互いに係止させることで、一方のコネクタに対して回転可能となり且つ該一方のコネクタ側に傾くので、一対のコネクタを互いに近づけて嵌合させる方向に回転するレバーの回転距離を短くすることができる。
【００１１】
請求項２に記載された発明によれば、レバーロック解除部が、他方のコネクタから突出するように一対設けられているとともに、一対のコネクタを互いに係止させる係止部同士が係止する際に、レバーに設けられたロック部の一対の可撓アームの互いに相対する面それぞれに突設された一対のロック突起が互いに離れるように、該一対のロック突起それぞれを押圧する位置に設けられている。このため、一対のコネクタ同士の係止と、ロック部によるレバーの一方のコネクタへのロックの解除とを同時に行うことができ、コネクタの嵌合作業の作業工数の増加を抑制することができる。
【発明の効果】
【００１２】
以上説明したように、請求項１に記載の本発明は、一対のコネクタ同士を接離させるレバーが、該一対のコネクタを互いに係止させることで、一方のコネクタに対して回転可能となり且つ該一方のコネクタ側に傾くので、一対のコネクタを互いに近づけて嵌合させる方向に回転するレバーの回転距離を短くすることができる。したがって、一対のコネクタ同士を嵌合させるために作業者がレバーを回転操作する操作量を少なくすることができ、コネクタの嵌合作業の作業効率を向上させるとともに、コネクタの半嵌合による導通不良の発生を抑制することができる。
【００１３】
請求項２に記載の本発明は、一対のコネクタ同士の係止と、ロック部によるレバーの一方のコネクタへのロックの解除とを同時に行うことができ、コネクタの嵌合作業の作業工数の増加を抑制することができる。したがって、コネクタの嵌合作業の作業効率を向上させることができる。
【発明を実施するための最良の形態】
【００１４】
以下、本発明の一実施形態にかかるコネクタを、図１乃至図９を参照して説明する。本発明の一実施形態にかかるコネクタ１は、互いに嵌合可能な一対のコネクタ２、３と、レバー４と、該レバー４に設けられたロック部３６と、を備えている。なお、本実施形態においては、一対のコネクタ２、３、のうちの一方のコネクタ２が雌型コネクタ（以下、雌コネクタ２と呼ぶ）２であり、他方のコネクタ３が雄型コネクタ（以下、雄コネクタ３と呼ぶ）３である。
【００１５】
雌コネクタ２は、図１又は図２に示すように、コネクタハウジング１０と、図示しない複数の雄型の端子金具（以下、雄端子と呼ぶ）とを備えている。コネクタハウジング１０は、筒形のインナハウジング１１と、筒形のアウタカバー１２とを一体に備えている。インナハウジング１１には、複数の端子収容室１３が設けられており、それぞれ、箱状に形成されている。インナハウジング１１は、各々の端子収容室１３に雄端子を収容する。
【００１６】
アウタカバー１２は、内側にインナハウジング１１を収容した格好で、該インナハウジング１１と一体に形成されている。アウタカバー１２の内面は、インナハウジング１１の外面と間隔をあけている。また、アウタカバー１２には、レバー用支持突起１４と、嵌合保持アーム１５と、係止ガイド部１６と、が設けられている。
【００１７】
レバー用支持突起１４は、アウタカバー１２の外面から立設しているとともに、略円柱状に形成されている。レバー用支持突起１４は、アウタカバー１２の雌コネクタ２の幅方向に相対する面それぞれに設けられている。レバー用支持突起１４は、レバー４の後述する支点孔３２内に侵入して当該レバー４が回転する際の回転軸となる。
【００１８】
なお、幅方向とは、雌及び雄コネクタ２，３同士が後述するように互いに嵌合又は分離する際に、これらの雌及び雄コネクタ２，３が相対的に移動（接離）する方向（図１中に矢印Ｓに示す）に対して交差している。また、幅方向とは、雌コネクタ２の雌端子同士が並ぶ方向及び雄コネクタ３の雄端子同士が並ぶ方向である。即ち、幅方向とは、雌端子及び雄端子の長手方向に対して交差している。
【００１９】
嵌合保持アーム１５は、一端がアウタカバー１２に連なり且つ他端が自由端となっている。嵌合保持アーム１５は、アウタカバー１２の雌コネクタ２の幅方向に互いに間隔をあけて一対設けられている。一対の嵌合保持アーム１５は、それぞれ、レバー４の後述する操作部３１の各嵌合保持突起３３と係合する。そして、一対の嵌合保持アーム１５は、雌及び雄コネクタ２，３を互いに近づけたレバー４の操作部３１に係合して、該レバー４を位置決めするとともに、雌及び雄コネクタ２，３同士の嵌合を保持する。
【００２０】
係止ガイド部１６は、アウタカバー１２の互いに相対する一対の内面の一方の面に、一対のコネクタ２，３同士が接離する方向Ｓに沿って溝状に形成されている。係止ガイド部１６は、アウタカバー１２の雌コネクタ２の幅方向に互いに間隔をあけて一対設けられている。一対の係止ガイド部１６には、それぞれ、内面にインナハウジング１１に向かって突出する係止受け部１６ａ（図９に示す）が設けられている。一対の係止ガイド部１６は、それぞれ、内側に雄コネクタ３の後述する係止突起２４が侵入する。そして、係止受け部１６ａを係止突起２４が乗り越えて、係止受け部１６ａと係止突起２４とが、係止ガイド部１６内で係止する。係止受け部１６ａは、特許請求の範囲に記載の係止部を成している。
【００２１】
さらに、アウタカバー１２には、雄コネクタ３の後述するガイドボス２５及びレバーロック解除部２６が侵入するガイド溝１７が設けられている。ガイド溝１７は、雌コネクタ２の幅方向に相対して一対設けられている。一対のガイド溝１７は、それぞれ、雌及び雄コネクタ２，３同士が接離する方向Ｓに沿って、アウタカバー１２の雄コネクタ３と相対する端部が切り欠かれて形成されている。そして、一対のガイド溝１７は、それぞれ、当該ガイド溝１７内に侵入したガイドボス２５及びレバーロック解除部２６を、雌及び雄コネクタ２，３同士が接離する方向Ｓに沿って移動自在に収容する。
【００２２】
雄コネクタ３は、図１に示すように、コネクタハウジング２０と、図示しない複数の雌型の端子金具（以下、雄端子と呼ぶ）と、を備えている。コネクタハウジング２０は、内側に略筒状に形成され且つ雌端子の主に電線接続部を収容する本体部２１と、該本体部２１の外側に筒状に形成され且つ雄端子の主に電気接触部を収容するフード部２２とを一体に備えている。
【００２３】
本体部２１には、複数の雄端子の電線接続部をそれぞれ収容する端子収容室（図示せず）が複数設けられている。フード部２２は、本体部２１の外縁に連なって形成されており、雌コネクタ２と相対する側に開口部２３が設けられている。フード部２２は、開口部２３側が内側に雌コネクタ２のインナハウジング１１を収容し且つ該雌コネクタ２のアウタカバー１２内に収容される。また、フード部２２には、係止突起２４と、ガイドボス２５と、レバーロック解除部２６と、が設けられている。
【００２４】
係止突起２４は、フード部２２の外面から凸に形成されているとともに、雄コネクタ３の幅方向に互いに間隔をあけて一対設けられている。一対の係止突起２４は、それぞれ、雌コネクタ２のアウタカバー１２に設けられた各係止ガイド部１６に侵入するとともに、該各係止ガイド部１６内の係止受け部１６ａと係止する。そして、一対の係止突起２４それぞれが、各係止ガイド部１６内の係止受け部１６ａ各々と係止することで、雌及び雄コネクタ２，３同士を係止する。係止突起２４は、特許請求の範囲に記載の係止部を成している。
【００２５】
ガイドボス２５は、フード部２２の外面から立設し且つ略円柱状に形成されているとともに、一対設けられている。一対のガイドボス２５は、フード部２２の雄コネクタ３の幅方向に相対する面それぞれに設けられている。一対のガイドボス２５は、それぞれ、雌コネクタ２のガイド溝１７内に侵入して、雌及び雄コネクタ２，３同士が接離する方向Ｓに沿って移動自在となる。そして、一対のガイドボス２５は、雌及び雄コネクタ２，３同士が係止した際に、レバー４の後述するガイド孔３４内に移動可能に収容される。
【００２６】
レバーロック解除部２６は、フード部２２の雄コネクタ３の幅方向に相対する外面から凸に形成されて、一対設けられている。一対のレバーロック解除部２６は、それぞれ、ガイドボス２５から係止突起２４側へ連設されているとともに、該ガイドボス２５から開口部２３に向かって突出するように形成されている。そして、一対のレバーロック解除部２６は、それぞれ、前述した係止突起２４と雌コネクタ２の係止受け部１６ａとが係止する際に、レバー４の後述する各ロック部３６のロックを解除する。
【００２７】
また、一対のレバーロック解除部２６は、それぞれ、フード部２２の雄コネクタ３の幅方向に直交する方向に相対する一対の面のガイドボス２５側の面に、雌コネクタ２から離れるにしたがってガイドボス２５に近づく方向に傾斜したテーパ面２７が設けられている。このテーパ面２７は、前述した係止突起２４と雌コネクタ２の係止受け部１６ａとが係止する際に、レバー４の後述するロック部３６のロック突起３８に当接する。
【００２８】
前述した構成の雄コネクタ３は、コネクタハウジング２０のフード部２２が雌コネクタ２のインナハウジング１１とアウタカバー１２との間に侵入し、且つ、係止突起２４が係止受け部１６ａと係合して、雌コネクタ２と係止する。
【００２９】
レバー４は、図３及び図４に示すように、平板状の一対のアーム部３０と、一対のアーム部３０の一端部同士を連結する略角柱状の操作部３１と、を備えて、全体として略コ字状に形成されている。一対のアーム部３０は、互いに間隔をあけて相対しており、互いに平行に配されている。
【００３０】
また、一対のアーム部３０には、それぞれ、支点孔３２と、ガイド孔３４と、ロック部３６と、が設けられている。これらの支点孔３２、ガイド孔３４及びロック部３６は、一対のアーム部３０それぞれに、雌コネクタ２の幅方向に互いに相対するように設けられている。
【００３１】
支点孔３２は、図３に示すように、アーム部３０を貫通するとともに、平面形状が略円形状に形成されている。支点孔３２は、アーム部３０の前述した雌コネクタ２のレバー用支持突起１４が侵入可能な位置に設けられている。支点孔３２は、該支点孔３２内に雌コネクタ２のレバー用支持突起１４が侵入するとともに、該レバー用支持突起１４を回転自在に収容する。
【００３２】
そして、支点孔３２内にレバー用支持突起１４が侵入することで、このレバー用支持突起１４は、前記支点孔３２内を回転自在となり、レバー４がアーム部３０のレバー用支持突起１４を軸として回転自在に雌コネクタ２に取り付けられる。この支点孔３２内にレバー用支持突起１４が侵入した状態では、前述した一対のアーム部３０は、互いの間にコネクタハウジング１０が配される。
【００３３】
ガイド孔３４は、図３に示すように、アーム部３０を貫通するとともに、平面形状が円弧状に延びた長孔形状に形成されている。ガイド孔３４は、アーム部３０の前述した支点孔３２よりも操作部３１から離れた側に設けられている。また、ガイド孔３４内には、雌及び雄コネクタ２，３同士が係止する際に、前述した雄コネクタ３のガイドボス２５が侵入する。そして、ガイド孔３４は、内側にガイドボス２５を回転自在で且つ移動自在に収容する。
【００３４】
また、ガイド孔３４には、当該ガイド孔３４内に侵入したガイドボス２５が当接する当接突部３５が設けられている。当接突部３５は、前述した雌コネクタ２の係止受け部１６ａと雄コネクタ３の係止突起２４とが係止する際に、ガイド孔３４内に侵入したガイドボス２５と当接する位置に設けられている。この当接突部３５は、ガイドボス２５が当接することでレバー４を雌コネクタ２に対して初期位置に位置決めする。そして、ガイド孔３４は、前述した雄コネクタ３のガイドボス２５と協同して、レバー４の回転動作によってコネクタ２，３同士を接離させる。
【００３５】
ロック部３６は、図３又は図４に示すように、可撓アーム３７と、ロック突起３８とを備えている。可撓アーム３７は、平面形状が略矩形の平板状に形成されている。可撓アーム３７は、アーム部３０に連なるとともに、弾性変形可能に形成されている。
【００３６】
ロック突起３８は、各可撓アーム３７同士の相対する面から互いに近づく方向に突出するように形成されている。このロック突起３８は、レバー４を雌コネクタ２に取り付けた際に、該雌コネクタ２のアウタカバー１２の外面と当接するように設けられている。また、ロック突起３８は、雌及び雄コネクタ２，３同士が係止する際に、雄コネクタ３のレバーロック解除部２６を押圧する位置に配されている。
【００３７】
前述したロック部３６は、レバー４を雌コネクタ２に取り付けた際に、該雌コネクタ２のアウタカバー１２の外面にロック突起３８が当接し且つ可撓アーム３７の弾性復元力によって、前記レバー４を雌コネクタ２に回転しないように保持するとともに、初期位置に位置付ける。
【００３８】
そして、前記ロック部３６は、前述した雌コネクタ２の係止ガイド部１６内の係止受け部１６ａと雄コネクタ３の係止突起２４とが係止する際に、該雄コネクタ３のレバーロック解除部２６とロック突起３８が当接され且つ該ロック突起３８がテーパ面２７から前記レバーロック解除部２６に乗り上げて、雌コネクタ２とのロックが解除されるとともに、可撓アーム３７の弾性復元力によって前記レバーロック解除部２６を押圧する。
【００３９】
操作部３１は、図１に示すように、前述した一対のアーム部３０が互いの間にコネクタハウジング１０を配した状態で、該一対のアーム部３０が回転することで、雌コネクタ２の嵌合保持アーム１５と係合することが可能な位置に配置されている。操作部３１には、一対の嵌合保持突起３３が設けられている。
【００４０】
一対の嵌合保持突起３３は、それぞれ、図１又は図２に示すように、操作部３１の一対のアーム部３０側の面から突設されている。一対の嵌合保持突起３３は、雌及び雄コネクタ２、３同士が嵌合する方向に直交する方向に互いに間隔をあけて設けられている。一対の嵌合保持突起３３は、それぞれ、雌コネクタ２の一対の嵌合保持アーム１５に係合可能な位置に配されている。
【００４１】
そして、操作部３１は、一対の嵌合保持突起３３をそれぞれ一対の嵌合保持アーム１５各々に係合して、雌コネクタ２と係合することで、レバー４を雌コネクタ２に位置決めするとともに、雌及び雄コネクタ２，３同士の嵌合を保持する。
【００４２】
前述した構成のレバー４は、図２又は図５に示すように、支点孔３２内にレバー用支持突起１４が侵入して、アウタカバー１２と間隔をあけた状態で雌コネクタ２に対して回転可能に取り付けられる。そして、レバー４は、支点孔３２内に侵入したレバー用支持突起１４を中心として回転自在に雌コネクタ２に支持される。このとき、レバー４は、ロック部３６によって雌コネクタ２に回転しないように保持されるとともに、初期位置に位置付けられる。
【００４３】
さらに、レバー４は、図７に示すように、雌コネクタ２の係止受け部１６ａと雄コネクタ３の係止突起２４とが係止して雌及び雄コネクタ２，３同士が係止すると、該雄コネクタ３のレバーロック解除部２６によって、ロック部３６による雌コネクタ２への保持が解除される。即ち、レバーロック解除部２６によって、ロック部３６の雌コネクタ２へのロックが解除される。そして、レバー４は、前述した初期位置から雌コネクタ２側に傾く。
【００４４】
そして、レバー４は、前述したレバー用支持突起１４を中心として雌コネクタ２のコネクタハウジング１０に対して回転することで、雄コネクタ３のガイドボス２５がガイド孔３４内を摺動（移動及び回転）して、雌コネクタ２と雄コネクタ３とを互いに接離させる。なお、接離とは、雌コネクタ２と雄コネクタ３とが、互いに近づいたり離れることを示している。レバー４は、コネクタ２，３同士を接離させて、これらのコネクタ２，３同士を嵌合させたり分離させる。
【００４５】
前述したコネクタ１の雌コネクタ２と雄コネクタ３とを互いに嵌合させる際には、まず、雌コネクタ２のコネクタハウジング１０の端子収容室１３内に電線付きの雄端子を収容して、コネクタハウジング１０の各レバー用支持突起１４をレバー４の各アーム部３０の始点孔３２にそれぞれ挿入して、雌コネクタ２にレバー４を取り付ける。この状態では、図５に示すように、レバー４は、当該レバー４のロック部３６によって雌コネクタ２に回転しないように保持され且つ初期位置に位置付けられる。
【００４６】
次に、雄コネクタ３のコネクタハウジング２０内に電線付きの雌端子を収容して、雌コネクタ２と雄コネクタ３とを互いに近づけていき、雌コネクタ２のコネクタハウジング１０内に、雄コネクタ３のフード部２２を挿入する。すると、フード部２２の係止突起２４が、コネクタハウジング１０のアウタカバー１２の係止ガイド部１６内に侵入する。このとき、レバー４のガイド孔３４内に雄コネクタ３のガイドボス２５が侵入する。
【００４７】
そして、図６に示すように、さらにコネクタハウジング１０内にフード部２２を挿入していき、係止突起２４と係止ガイド部１６内の係止受け部１６ａとが係止し始めると、レバー４は、図９に示すように、可撓アーム３７が外側に撓むことで、ロック突起３８が雄コネクタ３のレバーロック解除部２６のテーパ面２７から該レバーロック解除部２６に乗り上げる。こうして、レバー４は、雄コネクタ３のレバーロック解除部２６によって、ロック部３６の雌コネクタ２へのロックが解除される。即ち、レバー４の前述した初期位置からの変位が可能になる。このとき、レバー４は、ガイド孔３４内の当接突部３５に雄コネクタ３のガイドボス２５が当接することで位置決めされる。
【００４８】
さらに、コネクタハウジング１０内にフード部２２を挿入していき、前述した係止突起２４と係止受け部１６ａとの係止が完了すると、図７に示すように、前述したロック部３６は、可撓アーム３７の弾性復元力によりロック突起３８がレバーロック解除部２６を乗り越える。このとき、レバー４が、前述した初期位置から雌コネクタ２側に傾く。
【００４９】
こうして、レバー４は、図７に示すように、雌コネクタ２と雄コネクタ３とが係止した際に、雄コネクタ３のレバーロック解除部２６によりロック部３６のロックが解除されることで、当該レバー４が雌コネクタ２側に傾く。
【００５０】
続いて、操作部３１を押圧して、レバー４を該操作部３１が雌コネクタ２に近づくように回転させると、ガイドボス２５がガイド孔３４内を操作部３１寄りの端部から該操作部３１から離れた側の端部に向かって移動して、雌及び雄コネクタ２，３同士を徐々に近づけるとともに、レバー用支持突起１４が支点孔３２内を回転する。そして、雌及び雄コネクタ２，３同士が嵌合する。これらの雌及び雄コネクタ２，３は、互いに嵌合すると、雌端子と雄端子とが互いに電気的に接続して、当該端子に取り付けられた電線同士が電気的に接続する。
【００５１】
この後、レバー４は、さらに回転して、図８に示すように、該レバー４の操作部３１と雌コネクタ２とを係合することで雌コネクタ２に位置決めされて、当該レバー４の回転が止まるとともに、雌及び雄コネクタ２，３同士の嵌合を保持する。なお、雌及び雄コネクタ２，３同士を分離する際には、レバー４を前述した嵌合する方向とは逆向きに回転する。
【００５２】
本実施形態によれば、レバー４の回転動作により接離され且つ互いに嵌合するとともに、該雌コネクタ２に設けられた係止受け部１６ａと該雄コネクタ３に設けられた係止突起２４とが係止することにより互いに係止する雌及び雄コネクタ２，３が、該係止受け部１６ａと係止突起２４とが係止する際に、レバー４に設けられた当該レバー４を雌コネクタ２に回転しないように保持するロック部３６のロックを解除するとともに、レバー４を雌コネクタ２側に傾かせるレバーロック解除部２６が、雄コネクタ３に設けられている。
【００５３】
このため、雌及び雄コネクタ２，３同士を接離させるレバー４が、該雌及び雄コネクタ２，３同士を互いに係止させることで、雌コネクタ２に対して回転可能となり且つ該雌コネクタ２側に傾くので、雌及び雄コネクタ２，３を互いに近づけて嵌合させる方向に回転するレバー４の回転距離を短くすることができる。したがって、雌及び雄コネクタ２，３同士を嵌合させるために作業者がレバーを回転操作する操作量を少なくすることができ、雌及び雄コネクタ２，３同士の嵌合作業の作業効率を向上させるとともに、雌及び雄コネクタ２，３同士の半嵌合による導通不良の発生を抑制することができる。
【００５４】
また、レバーロック解除部２６が、雄コネクタ３から突出するように一対設けられているとともに、雌及び雄コネクタ２，３を互いに係止させる係止受け部１６ａと係止突起２４とが係止する際に、レバー４に設けられたロック部３６の一対の可撓アーム３７の互いに相対する面それぞれに突設された一対のロック突起３８が互いに離れるように、該一対のロック突起３８それぞれを押圧する位置に設けられている。
【００５５】
このため、雌及び雄コネクタ２，３同士の係止と、ロック部３６によるレバー４の雌コネクタ２へのロックの解除とを同時に行うことができ、雌及び雄コネクタ２，３同士の嵌合作業の作業工数の増加を抑制することができる。したがって、雌及び雄コネクタ２，３同士の嵌合作業の作業効率を向上させることができる。
【００５６】
本実施形態においては、レバー４は雌コネクタ２に取り付けられて、レバー４のロック部３６による雌コネクタ２へのロックを、雄コネクタ３のレバーロック解除部２６によって解除されていた。しかしながら、本発明では、レバー４を雄コネクタ３に取り付けて、雌コネクタ２にレバーロック解除部を設けてもよい。
【００５７】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５８】
【図１】本発明の一実施形態にかかるコネクタを示す斜視図である。
【図２】図１に示された一方のコネクタ及びレバーを反対側から見た状態を示す斜視図である。
【図３】図２に示されたレバーの斜視図である。
【図４】図３に示されたレバーの正面図である。
【図５】図１に示されたコネクタの側面図である。
【図６】図５中のコネクタの係止途中の状態を示す側面図である。
【図７】図５中のコネクタの係止した状態を示す側面図である。
【図８】図５中のコネクタの嵌合した状態を示す側面図である。
【図９】図６中のＸ−Ｘ線に沿う断面図である。
【符号の説明】
【００５９】
１    コネクタ
２    雌コネクタ（一方のコネクタ）
３    雄コネクタ（他方のコネクタ）
４    レバー
１６ａ  係止受け部（係止部）
２４  係止突起（係止部）
２６  レバーロック解除部
３６  ロック部
３７  可撓アーム
３８  ロック突起
【図１】
2008262718.tif 000003
【図２】
2008262718.tif 000004
【図３】
2008262718.tif 000005
【図４】
2008262718.tif 000006
【図５】
2008262718.tif 000007
【図６】
2008262718.tif 000008
【図７】
2008262718.tif 000009
【図８】
2008262718.tif 000010
【図９】
2008262718.tif 000011